(57)【特許請求の範囲】
【請求項１】
本体部（１）を少なくとも表面材（１ａ）、吸収体（１ｂ）、及び防水層（１ｃ）より構成し、表面材（１ａ）を透視性のある素材とすると共に、吸収体（１ｂ）の表面にｐＨにより変色する色素（２）としてニトラジンイエローを付着させ、表面材（１ａ）と吸収体（１ｂ）とを貼り合わせたことを特徴とする体液吸収用当て材。
【請求項２】
本体部（１）を少なくとも表面材（１ａ）、吸収体（１ｂ）、及び防水層（１ｃ）より構成し、吸収体（１ｂ）の表面にｐＨにより変色する色素（２）としてニトラジンイエローを付着させ、この吸収体（１ｂ）と表面材（１ａ）をエンボス加工して貼り合わせたことを特徴とする体液吸収用当て材。
【請求項３】
本体部（１）を少なくとも表面材（１ａ）、吸収体（１ｂ）、及び防水層（１ｃ）より構成し、吸収体（１ｂ）の表面にｐＨにより変色する色素（２）としてニトラジンイエローを付着させ、この吸収体（１ｂ）と表面材（１ａ）をエンボス加工して貼り合わせ、エンボス加工した凹部（３）の先端を開口しメッシュ状にしたことを特徴とする体液吸収用当て材。
【発明の詳細な説明】
【０００１】
【産業上の利用分野】
この発明は、パンティ等の下着の内面に敷いて、おりもの等の体液を吸収するようにした体液吸収用当て材に関するものである。
【０００２】
【従来の技術】
従来、この種の体液吸収用当て材には、いわゆるおりもの用シートと呼ばれるものが市販されている。おりもの用シートは、生理日以外に下着の内面に敷いておりものを吸収し、下着の汚れを防止しようとするものである。しかし、このおりもの用シートは、ただ単に下着の汚れを防止するだけであって、他には何の機能も備えていない。
【０００３】
ところで、おりもののｐＨは、生理周期、トリコモナスなどの病的状態、更年期、妊娠時の破水等により変動するので、おりもののｐＨを測定することで健康状態、体調等をチェックできる場合がある。また、医師が患者の病的状態を診るのに、おりもののｐＨを測定する場合があるが、このような場合、医師は綿棒などでおりものを採取し、ｐＨ試験紙に接触させて測定している。
【０００４】
【発明が解決しようとする課題】
しかしながら、おりもの等の体液のｐＨを常日頃から測定するのは大変面倒であり、健康状態、体調等を簡単にチェックするためのバロメーターとしてそのｐＨ値を測定するには未だ多くの課題を有していた。
【０００５】
また、医師が患者の体液のｐＨを測定する場合にも、採取時などに内診が必要となりその測定に困難性を伴うという課題を有していた。
【０００６】
そこで、この発明は、おりもの等の体液のｐＨ測定機能を備えた体液吸収用当て材、すなわちｐＨにより変色する色素がおりもの等の体液で濡れると変色し、その変色具合を確認することにより、健康状態、体調等を簡単にチェックすることができる体液吸収用当て材を提供することを目的としてなされたものである。
【０００７】
【課題を解決するための手段】
そのため、この発明の体液吸収用当て材は、本体部１を少なくとも表面材１ａ、吸収体１ｂ、及び防水層１ｃより構成し、表面材１ａを透視性のある素材とすると共に、吸収体１ｂの表面にｐＨにより変色する色素２を付着させ、表面材１ａと吸収体１ｂとを貼り合わせたものとしている。
【０００８】
さらに、この発明の体液吸収用当て材は、本体部１を少なくとも表面材１ａ、吸収体１ｂ、及び防水層１ｃより構成し、吸収体１ｂの表面にｐＨにより変色する色素２を付着させ、この吸収体１ｂと表面材１ａをエンボス加工して貼り合わせたものとしてもよい。また、その際に、エンボス加工した凹部３の先端を開口しメッシュ状にしたものとしてもよい。
【０００９】
そして、この発明の体液吸収用当て材は、前記色素２をニトラジンイエローとするのが好ましい。
【００１０】
【作用】
この発明の体液吸収用当て材は、上記構成としたため、ｐＨにより変色する色素２が体液吸収用当て材の表面から鮮明に見えるようになると共に、少ないおりものでも色素の付着面に到達し易くなる。しかも、表面材１ａと吸収体１ｂを貼り合わせることにより、色素の付着面からの溶出を防ぐことができる。さらに、表面材１ａと吸収体１ｂをエンボス加工して貼り合わせたものや、表面材１ａと吸収体１ｂを貼り合わせてメッシュ状に加工したものでは、着用時の密着感が軽減される。
【００１１】
また、この発明の体液吸収用当て材は、ｐＨにより変色する色素２を、ニトラジンイエローとした場合には、体液のｐＨにより、黄、黄緑、または青に変色する。
【００１２】
【実施例】
以下、この発明の体液吸収用当て材の構成を、一実施例として示した図面に基づいて詳細に説明する。
【００１３】
図１、２に示すように、この発明の体液吸収用当て材は、表面材１ａ、吸収体１ｂ、及び防水層１ｃより本体部１が構成されている。前記表面材１ａは透視性のある素材とすると共に、吸収体１ｂの表面にはｐＨにより変色する色素２を付着させている。そして、表面材１ａと吸収体１ｂとを貼り合わせたものとしている。なお、この発明の体液吸収用当て材は、図示していないが適当な包装材により包装されている。
【００１４】
図３に示したものは、前記表面材１ａと吸収体１ｂをエンボス加工して貼り合わせたものとしている。さらに、図４に示したものは、前記表面材１ａと吸収体１ｂをエンボス加工して貼り合わせ、エンボス加工した凹部３の先端を開口して、いわゆるメッシュ状にしたものとしている。また、図５に示したものは、表面材１ａを合成繊維不織布とし、吸収体１ｂを天然繊維不織布として、両者を貼り合わせてメッシュ状に加工したものとし、防水層１ｃをポリエチレンのバックシートとしている。そして、図３〜５に示したものは、前記吸収体１ｂと防水層１ｃの間に、合成繊維不織布とした吸収体１ｄを設けている。
【００１５】
前記表面材１ａと吸収体１ｂとを貼り合わせたものとすると、両者が常に接触しているので、体液吸収用当て材の表面から鮮明に見えるようになると共に、少ないおりものでも色素の付着面に到達し易くなる。しかも、表面材１ａと吸収体１ｂを貼り合わせることにより、色素の付着面からの溶出を防ぐことができる。さらに、表面材１ａと吸収体１ｂをエンボス加工して貼り合わせたものや、表面材１ａと吸収体１ｂを貼り合わせてさらにメッシュ状に加工したものでは、複数の凹凸や開口部が形成されているため、着用時の密着感が軽減される。
【００１６】
また、本体部１の吸収体１ｂの表面には、ｐＨにより変色する色素２を付着させている。この色素２を付着させるには、色素２をインク化して付着させるのが好ましい。
【００１７】
さらにまた、この発明の体液吸収用当て材において使用される色素２は、ｐＨ４〜５、５〜６域で変色するものを使用している。これは、一般的に、おりもののｐＨが５以上の時は病的な場合が多く、おりもののｐＨが５以下の時は正常な場合が多いので、上記ｐＨ域で変色する色素２を使用するのが好ましい。また、尿失禁のある人や妊婦で破水が起こった時などもｐＨが５以上になるので、このような場合にも、上記色素２を使用するのが好ましい。実施例では、このような色素２として、次の化学式に示されるニトラジンイエロー〔別名；２−（２，４−ジニトロフェニルアゾ）−１−ナフトール−３，６−ジスルホン酸二ナトリウム〕を採用した。
【００１８】
【化１】
0003831819.tif 000002
【００１９】
前記ニトラジンイエローは、ｐＨ４で黄色に変色し、ｐＨ５で黄緑色に変色し、ｐＨ６で青色に変色するものであり、人体に対しての安全性も非常に優れている。
【００２０】
また、色素２をインク化するには、カチオン基を有するヒドロゲル粒子に色素２を吸着させ、必要に応じ表面を透湿、透水性皮膜で覆われた構成となる組成物とすればよい。この組成物には、体液吸収用当て材に固着させるための適当なバインダーを併用してもよい。なお、前記ヒドロゲル粒子としては、アクリル酸・アクリルアミド・メタクリル酸・Ｎ，Ｎ−ジメチルアミノエチル共重合物のグリセロールグリシジルエーテルによる部分架橋物で代表されるような組成物を用い、粒子径を０．０１〜５０μｍとするのが好ましい。
【００２１】
このインク化した色素２を塗布あるいは印刷することにより、色素２がおりもの等の体液により湿潤した場合にもブリード（色素が滲み出す現象）が起こらず、色素２を耐久性に優れた状態として本体部１に付着させておくことができる。
【００２２】
なお、色素２をニトラジンイエローとした場合には、表１、表２に示したように、他の色素、例えばメチルレッド、ブロモチモルブルー、ブロモクレゾールグリーンと比較して、ｐＨ４〜６域で鮮明な変色をすると共に、加温加湿下（４０℃、７５％）、光曝露下での経時変化のし難いものとなる。
【００２３】
【表１】
0003831819.tif 000003
【００２４】
【表２】
0003831819.tif 000004
【００２５】
【発明の効果】
この発明の体液吸収用当て材は、以上に述べたように構成されており、ｐＨにより変色する色素２がおりもの等の体液で濡れると変色し、この変色具合を体液吸収用当て材の表面から確認することができるので、健康状態、体調等を簡単にチェックするためのバロメーターとして使用できるようになった。
【００２６】
さらに、ｐＨにより変色する色素２が体液吸収用当て材の表面から鮮明に見えるようになると共に、少ないおりものでも色素の付着面に到達し易くなるので、色素２の変色具合がはっきり見えるものとなり、健康状態、体調等をチェックし易いものとなった。しかも、色素２の付着面からの溶出を防ぐことができるので、安全性の面で安心感が得られるものとなった。さらに、表面材１ａと吸収体１ｂをエンボス加工して貼り合わせたものや、表面材１ａと吸収体１ｂを貼り合わせてさらにメッシュ状に加工したものでは、着用時の密着感が軽減され、ムレ感が解消される。
【００２７】
また、この発明の体液吸収用当て材は、ｐＨにより変色する色素２をニトラジンイエローとした場合には、体液のｐＨにより、黄、黄緑、または青に変色するので、健康状態、体調等をより明らかにチェックできるようになった。
【図面の簡単な説明】
【図１】この発明の体液吸収用当て材の第一実施例の一部破断斜視図である。
【図２】この発明の体液吸収用当て材の図１中のＡ−Ａ線による拡大断面図である。
【図３】この発明の体液吸収用当て材の第二実施例の拡大断面図である。
【図４】この発明の体液吸収用当て材の第三実施例の拡大断面図である。
【図５】この発明の体液吸収用当て材の第四実施例の拡大断面図である。
【符号の説明】
１  本体部
１ａ  表面材
１ｂ  吸収体
１ｃ  防水層
２  色素
３  凹部
【図１】
0003831819.tif 000005
【図２】
0003831819.tif 000006
【図３】
0003831819.tif 000007
【図４】
0003831819.tif 000008
【図５】
0003831819.tif 000009